(57)【要約】      （修正有）【課題】マスクやマスクカバーの左右両端部と着用者との間に隙間が形成されるのを防ぐことを可能とする、マスクカバーを提供する。【解決手段】マスクの表面を覆う矩形状のカバー本体２１と、前記カバー本体裏面の左右両端側に上下両端部が縫着され、前記マスクの左右両端部及び耳掛け紐を挿通可能とした帯状の挿通部２２Ｌ、２２Ｒと、前記挿通部の外側縁部に一端が縫着され、前記縫着部分を中心として展開可能とした左右の舌状片２３と、を備えてマスクカバー２を構成した。【選択図】図２
0003235151.tif 000002
【実用新案登録請求の範囲】
【請求項１】
マスクの表面を覆う矩形状のカバー本体と、
前記カバー本体裏面の左右両端側に上下両端部が縫着され、前記マスクの左右両端部及び耳掛け紐を挿通可能とした帯状の挿通部と、
前記挿通部の外側縁部に一端が縫着され、前記縫着部分を中心として展開可能とした舌状片と、
を備えたことを特徴とするマスクカバー。
【請求項２】
マスクの表面を覆う矩形状のカバー本体と、
前記カバー本体裏面の左右両端側に上下両端部が縫着され、前記マスクの左右両端部及び耳掛け紐を挿通可能とした帯状の挿通部と、
前記カバー本体裏面の左縁部及び右縁部に一端が縫着され、前記縫着部分を中心として展開可能とした舌状片と、
を備えたことを特徴とするマスクカバー。
【請求項３】
マスクの表面を覆う矩形状の第１カバー部材と、マスクの裏面を覆う矩形状の第２カバー部材とを有して筒状に形成されたカバー本体と、
前記第２カバー部材の左縁部及び右縁部に一端が縫着され、前記縫着部分を中心として展開可能とした舌状片と、
を備えたことを特徴とするマスクカバー。
【請求項４】
前記カバー本体はマスクよりも若干大きく形成されていることを特徴とする請求項１ないし３のいずれか１項に記載のマスクカバー。
【請求項５】
前記カバー本体の上下方向には、左右方向に沿って複数のプリーツが設けされていることを特徴とする請求項１ないし４のいずれか１項に記載のマスクカバー。
【請求項６】
前記挿通部及び舌状片は伸縮性に優れた生地から成ることを特徴とする請求項１ないし３のいずれか１項に記載のマスクカバー。
【考案の詳細な説明】
【技術分野】
【０００１】
本考案は、不織布からなる所謂使い捨てマスクに取付けて使用するマスクカバーに関する。
【背景技術】
【０００２】
細菌やウイルス等の感染防止や花粉症等への対策として、不織布からなる所謂使い捨てマスクが広く使用されている。
このような状況の中、昨今の新型コロナウイルスの蔓延により、使い捨てマスクが不足する事態が発生したことを受けて、例えば、使い捨てマスクにマスクカバーを取付け、必要に応じて前記マスクカバーを洗浄するのみで、使い捨てマスクを繰り返し使用できるようにすることが考えられている（例えば、特許文献１，２参照）。
【０００３】
特許文献１に開示されているマスクカバーは、使い捨てマスクの表面を覆うカバー本体と、前記カバー本体裏面の左右両端部に設けられた潜通部とを備えて構成されており、前記カバー本体部の裏面に使い捨てマスクの表面を当接するとともに、前記潜通部に使い捨てマスクの左右両端部と耳掛け紐を潜通させることにより、使い捨てマスクにマスクカバーが取付けられる。
【０００４】
また、特許文献２に開示されているマスクカバーは、筒状に形成されたカバー本体と、前記カバー本体の左右両端部に設けられた開口部とを備えて構成されており、一方の開口部から使い捨てマスクをカバー本体内に挿入するとともに、左右の開口部から使い捨てマスクの耳掛け紐をそれぞれ引き出すことにより、使い捨てマスクにマスクカバーが取付けられる。
【先行技術文献】
【特許文献】
【０００５】
【特許文献１】実用新案登録第３０４７１７９号公報
【特許文献２】実用新案登録第３２２６８３１号公報
【考案の概要】
【考案が解決しようとする課題】
【０００６】
然るに、前記特許文献１，２に記載されているマスクカバーは、その左右両端部から引き出した使い捨てマスクの耳掛け紐を耳に掛けることにより使用者に装着されるので、前記使い捨てマスクやマスクカバーの左右両端部と使用者との間に隙間が形成され易く、この隙間から細菌やウイルス等が侵入する恐れがあった。
【０００７】
本考案は前記の問題点に鑑み、マスクカバーを取付けた使い捨てマスクを使用者が装着した際に、前記使い捨てマスクやマスクカバーの左右両端部と使用者との間に隙間が形成されるのを防ぐことが可能なマスクカバーの提供を目的とする。
【課題を解決するための手段】
【０００８】
前記の課題を解決するために、本考案のマスクカバーは、マスクの表面を覆う矩形状のカバー本体と、前記カバー本体裏面の左右両端側に上下両端部が縫着され、前記マスクの左右両端部及び耳掛け紐を挿通可能とした帯状の挿通部と、前記挿通部の外側縁部に一端が縫着され、前記縫着部分を中心として展開可能とした舌状片と、を備えて構成されている。
また、前記舌状片は、前記カバー本体裏面の左縁部及び右縁部に一端を縫着し、前記縫着部分を中心として展開可能とするようにしてもよい。
更に、カバー本体を、マスクの表面を覆う矩形状の第１カバー部材とマスクの裏面を覆う矩形状の第２カバー部材とによって筒状に形成するとともに、前記第２カバー部材の左縁部及び右縁部に舌状片の一端を縫着し、前記縫着部分を中心として展開可能とするようにしてもよい。
また、前記カバー本体はマスクよりも若干大きく形成するのが好ましく、前記挿通部及び舌状片は伸縮性に優れた生地から成るのが好ましい。更に、前記カバー本体の上下方向には、左右方向に沿って複数のプリーツを設けるようにしてもよい。
【考案の効果】
【０００９】
本考案のマスクカバーは、カバー本体裏面に設けた挿通部の外側縁部、あるいは、カバー本体の左右縁部に舌状片を縫着し、前記縫着部分を中心として展開可能としたので、前記マスクカバーを取付けた状態のマスクを使用者が装着すると、前記展開した状態の舌状片が使用者の頬部分と当接して、前記マスクやマスクカバーの左右両端部と使用者の頬部分との間に隙間が形成されるのを良好に防ぐことができる。
また、前記カバー本体をマスクよりも若干大きく形成することにより、マスクの撚れを防いで隙間が形成されるのを抑制することが可能となる。
更に、前記カバー体に複数のプリーツを設けることにより、マスクにプリーツが設けられている場合にはこれに合わせて上下方向に展開して使用者の鼻から顎にかけての部分を覆うことができるとともに、マスクにプリーツが設けられていない場合でも、マスクカバーのみを上下方向に展開して使用者の鼻から顎にかけての部分を覆うことができる。
また、前記挿通部及び舌状片を伸縮性に優れた生地とすることにより、使用者の頬部分に対する肌触りが良くなるとともに、前記のようにプリーツを使用してマスクカバーを上下方向に展開する際に支障を来たすことがない。その上、前記舌状片を展開させた状態で使用者が装着した場合、前記舌状片がその伸縮性により元の状態に復帰しようとするのを利用して使用者の頬部分に当接させることができるとともに、息を吐き出す場合には前記舌状片が縫着部分を中心として使用者の頬部分から離れる方向に展開するので、息苦しさを感じさせることもない。
【図面の簡単な説明】
【００１０】
【図１】使い捨てマスクを示す平面図である。
【図２】（ａ）は本考案における第１の実施形態に係るマスクカバーを示す平面図、（ｂ）は（ａ）のＩ−Ｉ線における断面図である。
【図３】第１の実施形態に係るマスクカバーを使い捨てマスクに取付けた状態を示す平面図である。
【図４】第１の実施形態に係るマスクカバーを取付けた使い捨てマスクを使用者が装着した状態を示す側面図である。
【図５】（ａ）は本考案における第２の実施形態に係るマスクカバーを示す平面図、（ｂ）は（ａ）のＩＩ−ＩＩ線における断面図である。
【図６】第２の実施形態に係るマスクカバーを使い捨てマスクに取付けた状態を示す平面図である。
【図７】第２の実施形態に係るマスクカバーを取付けた使い捨てマスクを使用者が装着した状態を示す側面図である。
【図８】本考案における第１の実施形態に係るマスクカバーの変形例を示す平面図である。
【図９】同じく、変形例のマスクカバーを使い捨てマスクに取付けた状態を示す平面図である。
【図１０】同じく、変形例のマスクカバーを取付けた使い捨てマスクを使用者が装着した状態を示す側面図である。
【考案を実施するための形態】
【００１１】
以下、本考案を実施するための形態について、図１ないし図１０を参照しながら具体的に説明する。
図１は不織布からなる所謂使い捨てマスク（以下、単にマスクという）の一例を示し、前記マスク１は、例えば矩形状に形成された複数枚の不織布を積層して成るマスク本体１１と、前記マスク本体１１の左右両端部に設けられたゴム等伸縮性を有する部材からなる耳掛け紐１２とを備えている。
なお、前記マスク本体１１の上下方向には左右方向に沿って複数のプリーツ１３が設けられており、必要に応じて上下方向へ展開可能となっている。また、前記マスク本体１１の上部側には左右方向に沿ってノーズバンド１４が設けられている。
【００１２】
図２は本考案における第１の実施形態に係るマスクカバーを示し、前記マスクカバー２は、マスク本体１１の表面を覆う矩形状のカバー本体２１と、前記カバー本体２１裏面の左右両端側に設けた帯状の挿通部２２Ｌ，２２Ｒと、前記挿通部２２Ｌ，２２Ｒに一端を縫着した円弧状の舌状片２３とを備えて構成されている。
前記カバー本体２１は、例えばポリエステル等の合成繊維からなり、大きさはマスク本体１１よりも若干（例えば３〜５ｍｍ程度）大きく形成されている。また、上下方向には左右方向に沿って前記マスク本体１１と同様に複数のプリーツ２４が設けられており、前記マスク本体１１に合わせて上下方向へ展開可能となっている。
前記挿通部２２Ｌ，２２Ｒは、例えば伸縮性に優れたメリヤス生地等からなり、前記カバー本体２１の左右両端部からやや内側の位置において、その上下両端部が前記カバー本体２１の上縁部及び下縁部に縫着され、前記カバー本体２１との間にはマスク本体１１の左右両端部及び耳掛け紐１２を挿通可能な空隙２５が形成されている。
前記舌状片２３は、例えば挿通部２２Ｌ，２２Ｒと同様に伸縮性に優れたメリヤス生地等からなり、その直線状の一端が前記挿通部２２Ｌの左縁部及び挿通部２２Ｒの右縁部に縫着され、常時はその伸縮性を利用して前記挿通部２２Ｌ，２２Ｒと重なった状態になっているとともに、必要に応じて前記縫着部分を中心として図２に矢印で示す方向（外側）へ展開可能となっている。
【００１３】
図３はマスク１にマスクカバー２を取付けた状態を示す。
図３に示すように、マスク１の左右両端部は、マスクカバー２のカバー本体２１とその裏面に設けた帯状の挿通部２２Ｌ，２２Ｒとの間に形成された空隙２５に挿通されるとともに、前記マスク１の左右両端部に設けた耳掛け紐１２は前記挿通部２２Ｌ，２２Ｒから外側に引き出された状態となっている。
なお、マスク１にマスクカバー２を取付ける場合は、例えば前記マスク１を図３に示す矢印方向（右方向）からマスクカバー２のカバー本体２１と挿通部２２Ｌ，２２Ｒとの間に形成された空隙２５に挿通するようにしてもよいし、前記マスク１の表面をマスクカバー２の裏面に当接させた状態で、前記マスク１の左右両端部をそれぞれ前記マスクカバー２のカバー本体２１と挿通部２２Ｌ，２２Ｒとの間に形成された空隙２５に挿通するようにしてもよい。
【００１４】
図４はマスクカバー２を取付けたマスク１を使用者Ｕが装着した状態を示す。
図４に示すように、マスク１及びマスクカバー２を上下方向に展開して鼻から顎にかけての部分を覆うとともに、左右方向の端部により頬部分を覆った状態で、耳掛け紐１２を耳に掛けることにより、使用者Ｕは前記マスク１を装着することができる。
この際、マスクカバー２の裏面に設けた挿通部２２Ｌ，２２Ｒ及び舌状片２３は伸縮性に優れているため、前記ようにマスク１及びマスクカバー２を上下方向に展開する場合にも支障を来たすことがない。また、前記舌状片２３を挿通部２２Ｌ，２２Ｒとの縫着部分を中心として外側に展開した状態で装着すると、前記挿通部２２Ｌ，２２Ｒはその伸縮性を利用して頬部分によってマスク１側に押圧され、前記マスク１との間に形成される隙間を塞ぐように作用するとともに、前記舌状片２３はその伸縮性により元の状態に復帰しようとするのを利用して頬部分に当接し、かつ、耳掛け紐１２によって頬部分に押圧されることで、前記マスク１及びマスクカバー２における左右両端部と頬部分との間に形成される隙間を塞ぐように作用するので、前記隙間から細菌やウイルス等が侵入するのを防ぐことができる。
【００１５】
次に、本考案における第２の実施形態に係るマスクカバーについて、図５ないし図７を参照しながら説明する。
図５は本考案における第２の実施形態に係るマスクカバーを示し、前記マスクカバー２Ａは、マスク本体１１の表面を覆う第１カバー部材２１Ａ１と、マスク本体１１の裏面を覆う第２カバー部材２１Ａ２とを有する筒状に形成されたカバー本体２１Ａと、前記カバー体２１Ａの第２カバー部材２１Ａ２の左右両端部に設けた円弧状の舌状片２３Ａとを備えて構成されている。
前記カバー本体２１Ａを構成する第１カバー部材２１Ａ１及び第２カバー部材２１Ａ２は、例えばポリエステル等の合成繊維からなり、大きさはマスク本体１１よりも若干（例えば３〜５ｍｍ程度）大きく形成されている。また、上下方向には左右方向に沿って前記マスク本体１１と同様に複数のプリーツ２４Ａが設けられており、前記マスク本体１１に合わせて上下方向へ展開可能となっている。そして、例えば前記第１カバー部材２１Ａ１と第２カバー部材２１Ａ２とを重ね合わせ、その上縁部同士及び下縁部同士をそれぞれ縫着し、かつ、左右両端部を縫着することなく開口部とすることにより、前記カバー体２１Ａはマスク１を挿通可能な空隙２５Ａを設けた筒状に形成される。
前記舌状片２３Ａは、例えば伸縮性に優れたメリヤス生地等からなり、その直線状の一端が前記第２カバー部材２１Ａ２の左縁部及び右縁部に縫着され、常時はその伸縮性を利用して前記第２カバー部材２１Ａ１と重なった状態になっているとともに、必要に応じて前記縫着部分を中心として図５に矢印で示す方向（外側）へ展開可能となっている。
【００１６】
図６はマスク１にマスクカバー２Ａを取付けた状態を示す。
マスク１にマスクカバー２Ａを取付ける場合は、例えば図６に矢印で示す方向（右方向）からマスク１を、マスクカバー２Ａのカバー本体２１Ａを構成する第１カバー部材２１Ａ１と第２カバー部材２１Ａ２との間に形成される空隙２５Ａに挿通し、その一方の耳掛け紐１２をマスクカバー２Ａの左端側から引き出すとともに、他方の耳掛け紐１２をマスクカバー２Ａの右端側から引き出すようにすればよい。
【００１７】
図７はマスクカバー２Ａを取付けたマスク１を使用者Ｕが装着した状態を示す。
図７に示すように、前記マスク１及びマスクカバー２Ａを上下方向に展開して鼻から顎にかけての部分を覆うとともに、左右方向の端部により頬部分を覆った状態で、耳掛け紐１２を耳に掛けることにより、使用者Ｕは前記マスク１を装着することができる。
この際、マスクカバー２Ａの第２カバー部材２１Ａ２に設けた舌状片２３Ａは伸縮性に優れているため、前記ようにマスク１及びマスクカバー２Ａを上下方向に展開する場合にも支障を来たすことがない。また、前記舌状片２３Ａを第２カバー部材２１Ａ２との縫着部分を中心として外側に展開した状態で装着すると、前記舌状片２３Ａはその伸縮性により元の状態に復帰しようとするのを利用して頬部分に当接するとともに、前記舌状片２３を耳掛け紐１２によって頬部分に押圧することで、前記マスクカバー２Ａの左右両端部と頬部分との間に形成される隙間を塞ぐように作用するので、前記隙間から細菌やウイルス等が侵入するのを防ぐことができる。
【００１８】
なお、本考案におけるマスクカバー２，２Ａは、前記構造に限定されるものではなく、適宜変更可能である。
例えば、第１の実施形態に係るマスクカバー２においては、舌状片２３の直線状の一端を挿通部２２の外側縁部に縫着するようにしているが、これに代えて、図８，９に示すように、舌状片２３の直線状の一端をマスク本体２１裏面の左縁部及び右縁部に縫着するようにしてもよい。この際、前記舌状片２３は、常時その伸縮性を利用して自由端である円弧状の他端部が、図８，９に示すように挿通部２２Ｌ，２２Ｒと重なった状態となっているとともに、必要に応じて前記縫着部分を中心として図８に矢印で示す方向（外側）へ展開可能となっている。また、前記舌状片２３の上下方向の寸法はカバー本体２１の上下方向の寸法よりも短く設定し、図９に示すように、マスクカバー２をマスク１に取付けた際に、前記マスク１の左右両端部に設けた耳掛け紐１２の内側に位置させる。図１０に示すように、前記マスクカバー２を取付けたマスク１を使用者Ｕが装着すると、前記舌状片２３は、その伸縮性により元の状態に復帰しようとするのを利用して頬部分に当接し、前記マスク１及びマスクカバー２における左右両端部と頬部分との間に形成される隙間を塞ぐように作用するので、前記隙間から細菌やウイルス等が侵入するのを防ぐことができる。
【００１９】
また、第２の実施形態に係るマスクカバー２Ａにおいては、第１カバー部材２１Ａ１及び第２カバー部材２１Ａ２を重ね合わせ、その上縁部同士及び下縁部同士をそれぞれ縫着することにより、カバー本体２１Ａを筒状に形成しているが、前記第１カバー部材２１Ａ１及び第２カバー部材２１Ａ２を一連に形成し、中心部で折り曲げた状態で端部同士を縫着することによりカバー本体２１Ａを筒状に形成するようにしてもよい。
【００２０】
更に、マスクカバー２，２Ａのカバー本体２１，２１Ａに設けられるプリーツ２４，２４Ａの数は適宜変更可能であるとともに、前記カバー本体２１，２１Ａには文字や図形等のデザインを施したり、フリル等の装飾を施したり、カラー生地を使用したりするようにしてもよい。また、挿通部２２Ｌ，２２Ｒ及び舌状片２３，２３Ａの素材としてメリヤス生地を一例として記載しているが、伸縮性に優れた生地であればこれに限定されるものではない。
【符号の説明】
【００２１】
１  マスク
１１  マスク本体
１２  耳掛け紐
１３  プリーツ
１４  ノーズバンド
２，２Ａ  マスクカバー
２１，２１Ａ  カバー本体
２１Ａ１  第１カバー部材
２１Ａ２  第２カバー部材
２２Ｌ，２２Ｒ  挿通部
２３，２３Ａ  舌状片
２４，２４Ａ  プリーツ
２５，２５Ａ  空隙
【図１】
0003235151.tif 000003
【図２】
0003235151.tif 000004
【図３】
0003235151.tif 000005
【図４】
0003235151.tif 000006
【図５】
0003235151.tif 000007
【図６】
0003235151.tif 000008
【図７】
0003235151.tif 000009
【図８】
0003235151.tif 000010
【図９】
0003235151.tif 000011
【図１０】
0003235151.tif 000012